【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
使い捨て点滴液（ＩＶ）輸送セットであって、
非使い捨てＩＶポンプに搭載されるよう構成されたポンプ部分と、
ＩＶ液の検知領域内に配置された場合に輸液パラメータを検知するよう構成されたセンサと、
前記ポンプ部分および前記センサと結合された送受信部であって、前記ＩＶポンプと無線通信するよう構成された送受信部と、を備え、
前記送受信部はさらに、前記ＩＶポンプからエネルギを無線で受け、その無線で受けたエネルギだけから動作し、かつ、前記センサに動作電力を提供するよう構成される、使い捨てＩＶ輸送セット。
【請求項２】
前記センサは、流体圧力センサ、エアインライン検出センサおよび流体温度センサのうちのひとつである、請求項１に記載のＩＶ輸送セット。
【請求項３】
前記送受信部は、近距離無線通信（ＮＦＣ）プロトコルを使用して通信するよう構成される、請求項１に記載のＩＶ輸送セット。
【請求項４】
保持されるデータを放射殺菌から保護するよう構成された部分を有するメモリをさらに備える、請求項１から３のいずれかに記載のＩＶ輸送セット。
【請求項５】
前記メモリ、前記センサおよび前記送受信部と通信可能に結合されたプロセッサをさらに備える、請求項４に記載のＩＶ輸送セット。
【請求項６】
本ＩＶ輸送セットは前記ＩＶポンプから流体的および電気的に絶縁されるよう構成される、請求項１から３のいずれかに記載のＩＶ輸送セット。
【請求項７】
前記メモリは一意的識別値を有する、請求項４に記載のＩＶ輸送セット。
【請求項８】
前記プロセッサおよび前記センサは、単一の集積回路（ＩＣ）パッケージに実装される、請求項５に記載のＩＶ輸送セット。
【請求項９】
前記センサは、前記プロセッサを有する集積回路パッケージに対して外側にあり、前記センサは、前記集積回路パッケージに対して外側にあるコネクタを介して前記プロセッサと通信可能に結合される、請求項５に記載のＩＶ輸送セット。
【請求項１０】
前記コネクタは蒸着導電性ワイヤを有する、請求項９に記載のＩＶ輸送セット。
【請求項１１】
流体ポンプのプロセッサに実装される輸液方法であって、
前記流体ポンプに搭載されている使い捨てＩＶ輸送セットの無線送受信部を検出するために無線スキャンを行うステップと、
輸液セッションを開始するために、検出された使い捨てＩＶ輸送セットを前記プロセッサ上にロードするステップと、
検出された使い捨てＩＶ輸送セットを前記流体ポンプとの動作のためにプログラムするステップと、
前記ＩＶ輸送セットと無線通信することにより前記輸液セッションを監視するステップと、を含む方法。
【請求項１２】
前記監視ステップは、周期的にひとつ以上の流体パラメータを測定することを含む、請求項１１に記載の方法。
【請求項１３】
前記監視ステップは、測定された流体パラメータの値が許容基準を満たさない場合、警告を発することを含む、請求項１１または１２に記載の方法。
【請求項１４】
前記監視ステップは、測定された流体パラメータの値が許容基準を満たさない場合、前記輸液セッションを一時停止することを含む、請求項１１または１２に記載の方法。
【請求項１５】
測定された流体パラメータの追加的測定を周期的に行うことと、
追加的測定からの値が許容基準を満たす場合、前記輸液セッションを再開することと、をさらに含む、請求項１４に記載の方法。
【請求項１６】
輸液のための装置であって、使い捨て部分と非使い捨て部分とを備え、
前記使い捨て部分は、
流体入口と、
前記入口と流体的に連結された流体出口と、
前記入口と前記出口との間の位置で輸液パラメータを測定するよう構成されたセンサと、
前記センサと結合された無線送受信部であって前記輸液パラメータの測定値を無線で伝送するよう構成された無線送受信部と、を含み、
前記非使い捨て部分は前記流体から流体的に絶縁されたまま、前記使い捨て部分を受け入れ、かつ、前記使い捨て部分と物理的に結合されるよう構成され、
前記非使い捨て部分は、前記センサの動作パラメータを無線で制御するよう構成された中央処理装置（ＣＰＵ）を含む、装置。
【請求項１７】
前記使い捨て部分は、前記非使い捨て部分からの無線送信されたエネルギによって無線で電力供給される、請求項１６に記載の装置。
【請求項１８】
前記使い捨て部分はさらに、識別番号を前記非使い捨て部分に無線送信するよう構成される、請求項１６に記載の装置。
【請求項１９】
前記ＣＰＵはさらに、前記動作パラメータに関するユーザ入力を受けるよう構成される、請求項１６から１８のいずれかに記載の装置。
【請求項２０】
前記動作パラメータは前記センサによるサンプリングレートである、請求項１６から１８のいずれかに記載の装置。
【請求項２１】
点滴液（ＩＶ）の輸送システムであって、
請求項１に記載の使い捨て部分と、
前記非使い捨て部分と、を備えるシステム。
【手続補正２】
【補正対象書類名】明細書
【補正対象項目名】００３４
【補正方法】変更
【補正の内容】
【００３４】
本開示の実施の形態が詳細に説明されたが、その説明は例示のみを目的としており、限定を目的とするものとみなされるべきではないこと、および本開示の範囲は添付の請求の範囲の語句によってのみ限定されることは明確に理解されるべきである。さらに、当業者であれば、本開示は一般に患者ケアセッティングにおける点滴液の輸送を参照して説明されたが、本開示のある構成は実験室での実験や医療デバイス製造設備などの非医療的な生体以外のアプリケーションにおいても使用されうることを認識するであろう。
本願は少なくとも以下のコンセプトを開示する。
（コンセプト１）
点滴液（ＩＶ）の輸送システムの使い捨て部分であって、
ＩＶ液の検知領域内に配置された場合に輸液パラメータを検知するよう構成されたセンサと、
輸液システムの非使い捨て部分と無線通信するよう構成された送受信部と、を備える使い捨て部分。
（コンセプト２）
前記送受信部は、エネルギを放射的に受け、その放射的に受けたエネルギを使用して前記センサに動作電力を提供するよう構成された無線周波数（ＲＦ）送受信部である、コンセプト１に記載のシステム。
（コンセプト３）
前記センサは、流体圧力センサ、エアインライン検出センサおよび流体温度センサのうちのひとつである、コンセプト１に記載のシステム。
（コンセプト４）
前記送受信部は、近距離無線通信（ＮＦＣ）プロトコルを使用して通信するよう構成される、コンセプト１に記載のシステム。
（コンセプト５）
前記使い捨て部分はさらに、保持されるデータを放射殺菌から保護するよう構成された部分を有するメモリを備える、コンセプト１に記載のシステム。
（コンセプト６）
前記使い捨て部分はさらに、前記メモリ、前記センサおよび前記送受信部と通信可能に結合されたプロセッサを備える、コンセプト１に記載のシステム。
（コンセプト７）
前記使い捨て部分は、前記非使い捨て部分をＩＶ液から流体的に分離するよう、かつ、前記使い捨て部分から電気的に絶縁するよう構成される、コンセプト１に記載のシステム。
（コンセプト８）
前記メモリは一意的識別値を有する、コンセプト１に記載のシステム。
（コンセプト９）
前記プロセッサおよび前記センサは、単一の集積回路（ＩＣ）パッケージに実装される、コンセプト６に記載のシステム。
（コンセプト１０）
前記センサは、前記プロセッサを有する集積回路パッケージに対して外側にあり、前記センサは、前記集積回路パッケージに対して外側にあるコネクタを介して前記プロセッサと通信可能に結合される、コンセプト６に記載のシステム。
（コンセプト１１）
前記コネクタは蒸着導電性ワイヤを有する、コンセプト１０に記載のシステム。
（コンセプト１２）
流体ポンプのプロセッサに実装される輸液方法であって、
使い捨て点滴（ＩＶ）輸送セットを検出するために無線スキャンを行うことと、
輸液セッションを開始するために、検出された使い捨てＩＶ輸送セットを前記プロセッサ上にロードすることと、
検出された使い捨てＩＶ輸送セットを前記流体ポンプとの動作のためにプログラムすることと、
前記ＩＶ輸送セットと無線通信することにより前記輸液セッションを監視することと、を含む方法。
（コンセプト１３）
前記監視ステップは、周期的にひとつ以上の流体パラメータを測定することを含む、コンセプト１２に記載の方法。
（コンセプト１４）
前記監視ステップは、測定された流体パラメータの値が許容基準を満たさない場合、警告を発することを含む、コンセプト１２に記載の方法。
（コンセプト１５）
前記監視ステップは、測定された流体パラメータの値が許容基準を満たさない場合、前記輸液セッションを一時停止することを含む、コンセプト１２に記載の方法。
（コンセプト１６）
測定された流体パラメータの追加的測定を周期的に行うことと、
追加的測定からの値が許容基準を満たす場合、前記輸液セッションを再開することと、をさらに含む、コンセプト１５に記載の方法。
（コンセプト１７）
輸液のための装置であって、
輸液パラメータを測定するよう構成されたセンサを含む使い捨て部分と、
流体から流体的に分離された非使い捨て部分と、を備え、
前記非使い捨て部分は、前記センサの動作パラメータを無線で制御するよう構成された中央処理装置（ＣＰＵ）を含む、装置。
（コンセプト１８）
前記使い捨て部分は、前記非使い捨て部分からの無線送信されたエネルギによって無線で電力供給される、コンセプト１７に記載の装置。
（コンセプト１９）
前記使い捨て部分は、輸液パラメータの測定値を前記非使い捨て部分に無線で送信するよう構成される、コンセプト１７に記載の装置。
（コンセプト２０）
前記使い捨て部分はさらに、識別番号を前記非使い捨て部分に無線送信するよう構成される、コンセプト１７に記載の装置。
（コンセプト２１）
前記ＣＰＵはさらに、前記動作パラメータに関するユーザ入力を受けるよう構成される、コンセプト１７に記載の装置。
（コンセプト２２）
前記動作パラメータは前記センサによるサンプリングレートである、コンセプト１７に記載の装置。